(57)【要約】【課題】子供の悪戯や誤操作による車両用シートのシート移動を防止し得るシート駆動構造を提供すること。【解決手段】シート１を移動駆動するアクチュエータと、人為的に操作される調節スイッチ１０と、調節スイッチ１０の操作に応じてアクチュエータを作動させる調節制御手段とを備える車両のシート駆動構造において、シート１に着座した乗員が子供であることを検出する乗員検出手段と、乗員検出手段により乗員が子供であることが検出されたとき、調節スイッチ１０の操作を無効にして、アクチュエータを作動させないようにする規制手段とを備える車両のシート駆動構造。【選択図】図１
2010076493.tif 000002
【特許請求の範囲】
【請求項１】
シートを移動駆動するアクチュエータと、人為的に操作される調節スイッチと、
前記調節スイッチの操作に応じて前記アクチュエータを作動させる調節制御手段とを備える車両のシート駆動構造において、
前記シートに着座した乗員が子供であることを検出する乗員検出手段と、
前記乗員検出手段により乗員が子供であることが検出されたとき、前記調節スイッチの操作を無効にして、前記アクチュエータを作動させないようにする規制手段とを備える車両のシート駆動構造。
【発明の詳細な説明】
【技術分野】
【０００１】
本発明は、シートを移動駆動するアクチュエータと、人為的に操作される調節スイッチと、前記調節スイッチの操作に応じて前記アクチュエータを作動させる調節制御手段とを備える車両のシート駆動構造に関する。
【背景技術】
【０００２】
シートを車両前後方向に移動可能にする所謂「パワースライド機構」は、シートを車両前後方向に移動駆動するアクチュエータと、シート座部の側面等に設置された調節スイッチとを備えており、調節スイッチが操作されている間にアクチュエータを作動させ、調節スイッチの操作が終わるとアクチュエータを停止させる調節制御手段を備えて構成されている。
【０００３】
そのような従来のシート駆動構造としては、例えば、特許文献１に開示されるように、運転者が、運転席のシート座部側面に設置された調節スイッチを操作することによって、運転席と助手席の両方をスライド移動させることができるものが知られている。
【特許文献１】特開平８−２１６７４３号公報
【発明の開示】
【発明が解決しようとする課題】
【０００４】
特許文献１に記載されるような従来のシート駆動構造においては、例えば、大人が車両から一時離れて、車内に子供（主として、１２才以下の幼児を想定）だけが残されたような場合、子供が運転席に移動して調節スイッチを悪戯したり、あるいは誤って操作するなどして、折角調整した運転席や助手席の位置が、不本意な位置に変更されてしまう場合があった。
【０００５】
本発明は、上記実情に鑑みてなされたものであって、その目的は、子供の悪戯や誤操作による車両用シートのシート移動を防止し得るシート駆動構造を提供することにある。
【課題を解決するための手段】
【０００６】
上記の目的を達成するため、本発明では、
シートを移動駆動するアクチュエータと、人為的に操作される調節スイッチと、
前記調節スイッチの操作に応じて前記アクチュエータを作動させる調節制御手段とを備える車両のシート駆動構造において、
前記シートに着座した乗員が子供であることを検出する乗員検出手段と、
前記乗員検出手段により乗員が子供であることが検出されたとき、前記調節スイッチの操作を無効にして、前記アクチュエータを作動させないようにする規制手段とを備えることを特徴とする。
【０００７】
〔作用及び効果〕
本発明においては、シートに着座した乗員が子供であることを乗員検出手段が検出すると、規制手段がアクチュエータを作動させないようにする。
そのため、子供が、例えば運転席に移動して調節スイッチを悪戯したり、あるいは誤って操作するなどしても、アクチュエータが作動しないので、折角調整した運転席や助手席の位置が不本意な位置に変更されてしまう虞がない。
【発明を実施するための最良の形態】
【０００８】
以下に本発明の車両のシート駆動構造に係る第１実施形態〜第３実施形態を図面に基づいて説明する。
〔第１実施形態〕
図１は、本発明の車両のシート駆動構造に関する第１実施形態を示す。
図１には、車両用シート１、車両用シート１に着座する子供Ｃ、及びインストルメントパネル１１の側面が概略的に示されている。
尚、図１に記す矢印ＦＲ、及び矢印ＵＰは、それぞれ車両用シート１の前方向、及び上方向を示しており、これらの各方向は、車両用シート１を適用した自動車の前方向（進行方向）、及び上方向とそれぞれ一致するものである。
【０００９】
本実施形態の車両のシート駆動構造は、車両用シート１を前後方向にスライド移動させるパワースライド機構、車両用シート１に着座した乗員の体重を検出する荷重センサー５、及び、荷重センサー５が接続される図示しないマイクロコンピュータ（以下、マイコンと略称する）を備えて構成されている。
【００１０】
図１に示されるように、車両用シート１は、その前方にステアリングホイール７が設置される運転者用シートであり、乗員が着座可能なシート座部２と、着座時に乗員の背中を支持可能なシートバック３と、乗員の頭部を支持するヘッドレスト４とを有する。
【００１１】
車両用シート１１は、パワースライド機構によって、フロアパネル８に設けられたシートレール９上を前後方向に自在にスライド移動させることができるように構成されている。
パワースライド機構は、車両用シート１１を前後方向に移動駆動するアクチュエータとしてのシートスライドモータ（図示せず）と、シート座部２の側面に設置され、人為的に操作される調節スイッチ１０と、調節スイッチ１０の操作に応じてシートスライドモータを作動させる調節制御手段（図示せず）とを備えて構成されている。
シートスライドモータと調節スイッチ１０は、マイコンに接続されており、調節制御手段は当該マイコンに設けられている。
【００１２】
上記パワースライド機構においては、乗員が調節スイッチ１０の前部を押している間、車両用シート１はシートレール９上を前方にスライド移動し続け、調節スイッチ１０から指を離して押すのをやめると同時に車両用シート１のスライド移動が止まる。また、乗員が調節スイッチ１０の後部を押している間、車両用シート１はシートレール９上を後方にスライド移動し続け、調節スイッチ１０から指を離して押すのをやめると同時に車両用シート１のスライド移動が止まる。
【００１３】
尚、調節スイッチ１０は、車両エンジンの作動時又は停止時のいずれの状態にあるときに関わらず、また、図示しないシフトレバーがドライブレンジ又はパーキングレンジのいずれの位置にあるときに関わらず常時操作して、パワースライド機構を作動させ得るように構成されている。
【００１４】
荷重センサー５は、車両用シート１に着座した乗員が子供であることを検出する乗員検出手段であり、シート座部２の内部に設けられている。
荷重センサー５は、車両用シート１に着座した乗員の体重が所定値以下であるとき、即ち、乗員が子供であることを検出したときに、所定の信号をマイコンに出力するように構成されている。
【００１５】
マイコンには、荷重センサー５によって乗員が子供であることが検出されて、荷重センサー５から所定の信号が入力されたとき、調節スイッチ１０の操作を無効にして、シートスライドモータを作動させないようにする規制手段が設けられている。
【００１６】
従って、本発明においては、図１に示すように、子供Ｃが運転席のシート座部２に座ると、荷重センサー５によってその存在が検出されてマイコンの規制手段が作動し、子供Ｃが調節スイッチ１０を悪戯したり、あるいは誤って操作するなどしても、シートスライドモータが作動しないので、折角調整した運転席の位置が不本意な位置に変更されてしまう虞がない。
【００１７】
次に、図２及び図３に基づいて、本発明の車両のシート駆動構造の第２実施形態及び第３実施形態のそれぞれを説明するが、重複説明を避けるために、主として、先の第１実施形態と異なる構成及び作用効果についてのみ説明し、第１実施形態と同様の構成部材については、同じ符号を付してその説明を省略する。
【００１８】
〔第２実施形態〕
図２は、本発明の車両のシート駆動構造に関する第２実施形態を示す。
本実施形態においては、車両用シート１に着座した乗員が子供であることを検出する乗員検出手段として、圧力の有無を検出する複数の感圧センサー６を使用する。
【００１９】
図２に示すように、３つの感圧センサー６ａ，６ｂ，６ｃが、車両用シート１のヘッドレスト４、シート座部２の前部及び後部の３箇所にそれぞれ設けられており、各感圧センサー６ａ，６ｂ，６ｃは、車両用シート１に乗員が着座してその圧力を検出したときに、所定の信号をマイコンに出力するように構成されている。
【００２０】
車両用シート１に大人が着座した場合には、３つの感圧センサー６ａ，６ｂ，６ｃのすべてが圧力を検出し得るが、図２に示すように子供Ｃが着座した場合には、ヘッドレスト４の感圧センサー６ｃや、シート座部２の前部に設けられた感圧センサー６ａが、圧力を検出しない。
【００２１】
マイコンには、３つの感圧センサー６ａ，６ｂ，６ｃのうち１つでも圧力を検出しないものが存在するとき、即ち、複数の感圧センサー６ａ，６ｂ，６ｃによって乗員が子供であることが検出されたとき、調節スイッチ１０の操作を無効にして、シートスライドモータを作動させないようにする規制手段が設けられている。
【００２２】
従って、図２に示すように、本実施形態においても、子供Ｃが運転席のシート座部２に座ると、複数の感圧センサー６ａ，６ｂ，６ｃによってその存在が検出されてマイコンの規制手段が作動し、先の第１実施形態と同様に、子供Ｃの悪戯や誤操作による不本意なシート移動を防止することができる。
【００２３】
尚、感圧センサー６の設置位置や設置数は、上述の記載内容及び図２に示す構成に限定されるものではなく、子供と大人とを判別可能な構成であれば、子供と大人の背丈や体格差等を考慮して必要に応じて適宜変更することができる。
【００２４】
尚、本実施形態における感圧センサー６ａ，６ｂ，６ｃは、シートベルトを装着するように乗員に警告を与える所謂「シートベルトウォーニング装置」に使用されるものを利用することができるので、上述の第１実施形態における荷重センサー５といった特殊なセンサーを使用する必要はない。
【００２５】
〔第３実施形態〕
図３は、本発明の車両のシート駆動構造に関する第３実施形態を示す。
本実施形態においては、調節スイッチ１０がインストルメントパネル１１に設けられており、感圧センサー６がシート座部２の後部に設けられている。
感圧センサー６は、車両用シート１に乗員が着座してその圧力を検出したときに、所定の信号をマイコンに出力するように構成されている。
【００２６】
車両用シート１に大人が着座した場合には、感圧センサー６が常にその圧力を検出し得る。しかし、図３に示すように子供Ｃが着座した場合、子供Ｃがシート座部２の後部にいるときには感圧センサー６がその圧力を検出し得るが、子供Ｃがシート座部２の前部にいるときには、感圧センサー６が圧力を検出しない。
【００２７】
マイコンには、感圧センサー６が圧力を検出しないとき、調節スイッチ１０の操作を無効にして、シートスライドモータを作動させないようにする規制手段が設けられている。
【００２８】
図３に示すように、本実施形態においては、子供Ｃがシート座部２の後部に座ったときに、インストルメントパネル１１の調節スイッチ１０に手が届かない状態となっており、調節スイッチ１０を操作するためには、その腰を浮かしてシート座部２の前部に移動しなければならない。
そのため、子供Ｃがシート座部２の後部から前部へ移動すると、感圧センサー６が圧力を検出しなくなり、これによりマイコンの規制手段が作動するので、先の第１実施形態や第２実施形態と同様に、子供Ｃの悪戯や誤操作による不本意なシート移動を防止することができる。
【００２９】
本実施形態においては、調節スイッチ１０が、インストルメントパネル１１に備えられているため、シート座部２の側面やドアトリム等に設置される場合と比べて、乗員がその位置を確認し易い。
また、本実施形態における感圧センサー６は、シートベルトを装着するように乗員に警告を与える所謂「シートベルトウォーニング装置」に使用されるものを利用することができるので、上述の第１実施形態における荷重センサー５といった特殊なセンサーを使用する必要はない。その上、使用する感圧センサー６の数が、上述の第２実施形態の場合よりも少なくて済むので、構成をより簡易化することができる。
【００３０】
〔別実施形態〕
〔１〕前述の実施形態における規制手段が、パワースライド機構に係るアクチュエータだけでなく、シート座部２の上下位置及び傾きを調整するパワーハイト機構に係るアクチュエータや、シートバック３の傾きを調整するパワーリクライニング機構に係るアクチュエータ等、車両用シート１の移動に関する全てのアクチュエータを作動させないようにする構成としても良い。
〔２〕前述の実施形態におけるシート駆動構造を助手席に適用しても良い。
〔３〕前述の第１実施形態及び第２実施形態を助手席に適用して、乗員検出手段が、車両用シート１に着座した乗員が子供であることを検出したときに、助手席用エアバックの展開圧力を大人に比して小さくするように展開条件を変更する「助手席用エアバック制御手段」をさらに作動させるように構成しても良い。
〔４〕前述の第２実施形態及び第３実施形態において、感圧センサー６の代わりに、超音波センサーや、赤外線センサー等を使用して、乗員の存在を検出するようにしても良い。
〔５〕前述の実施形態における調節スイッチ１０の操作を無効又は有効に切り替え可能にするスイッチをインストルメントパネルに別途設けるようにしても良い。
【図面の簡単な説明】
【００３１】
【図１】本発明の第１実施形態に係る全体側面を概略的に示した図
【図２】本発明の第２実施形態に係る全体側面を概略的に示した図
【図３】本発明の第３実施形態に係る全体側面を概略的に示した図
【符号の説明】
【００３２】
１  車両用シート
２  シート座部
３  シートバック
４  ヘッドレスト
５  荷重センサー
６  感圧センサー
７  ステアリングホイール
８  フロアパネル
９  シートレール
１０  調節スイッチ
１１  インストルメントパネル
Ｃ  子供
【図１】
2010076493.tif 000003
【図２】
2010076493.tif 000004
【図３】
2010076493.tif 000005